(57)【要約】   【課題】  簡単に操作できて手間が掛からず、狭い住宅でも空間の利用効率が向上する間仕切り壁を提供する。【解決手段】  間仕切り壁２０は、可動部１６と収納部１７とその収納部１７を回転自在に固着する支柱２１とから成る。可動部１６と収納部１７からなる可動間仕切り壁１５は二組取付けられる。それぞれの収納部１７には三枚の仕切り板Ｐ、Ｑ、Ｒからなる可動部１６が納められ、三枚の仕切り板Ｐ、Ｑ、Ｒはスライド式で互いが連結して出し入れができる。左側の収納部１７から引き出された３枚の仕切り板Ｐ、Ｑ、Ｒはすべてが面一に成る状態で、右側の三枚の仕切り板Ｐ、Ｑ、Ｒは収納部１７から最遠部の仕切り板Ｒが扉として矢印Ｗに示すように仕切り板Ｑに沿ってスライド開閉できる。【選択図】  図１
2008081978.tif 000002
【特許請求の範囲】
【請求項１】
住宅の間取り変更構造に用いられる間仕切り壁であって、
前記間仕切り壁は複数の仕切り板からなる可動部とこの可動部を収納する収納部から成り、前記収納部と前記各仕切り板は互いにスライド自在に連結することを特徴とする間仕切り壁。
【請求項２】
請求項１に記載の間仕切り壁であって、前記複数の仕切り板は前記収納部から引き出された状態で互いに面一に連結される第一のスライドガイド手段を備えることを特徴とする間仕切り壁。
【請求項３】
請求項２に記載の間仕切り壁であって、前記収納部から最遠部の前記仕切り板は扉として用いられ隣接する仕切り板と重なって互いに連結する第二のスライドガイド手段を備えることを特徴とする間仕切り壁。
【請求項４】
請求項２に記載の間仕切り壁であって、前記第一のスライドガイド手段はスライド板と一対のリンクアームが回転自在に連結されて成り、隣接する前記仕切り板にそれぞれ前記第一のスライドガイド手段を収納する長溝を設け、前記スライド板が一対のリンクアームを隣接する前記仕切り板の一方の仕切り板にピン固着して前記長溝に収納され、前記スライド板を回転突出して他方の前記仕切り板に備える前記長溝に挿入されることを特徴とする間仕切り壁。
【請求項５】
請求項３に記載の間仕切り壁であって、前記第二のスライドガイド手段は、前記収納部から最遠部の前記仕切り板に突出して備えるローラーとこのローラーを保持するため隣接する仕切り板に設けられる長溝とで形成されることを特徴とする間仕切り壁。
【請求項６】
請求項１乃至請求項５のいずれか１項に記載の間仕切り壁であって、前記間仕切り壁は二組の間仕切り壁が角度９０度で合体して形成されるＬ字状間仕切り壁であること特徴とする間仕切り壁。
【請求項７】
請求項１乃至請求項５のいずれか１項に記載の間仕切り壁であって、複数組の前記間仕切り壁の各収納部を回転自在に固着する一組の支柱が設けられること特徴とする間仕切り壁。
【請求項８】
請求項７項に記載の間仕切り壁であって、前記支柱は内部に排水管や電線等を導設する空間が設けられること特徴とする間仕切り壁。
【請求項９】
請求項１乃至請求項８のいずれか１項に記載の間仕切り壁であって、前記収納部の側面にシンク等の水周り装置や収納ボックス等が取付けられることを特徴とする間仕切り壁。
【発明の詳細な説明】
【技術分野】
【０００１】
本発明は、住宅の各部屋区画（部屋空間）が狭いときに、それらの空間を状況に応じて広い空間にするための技術に関し、詳しくは、部屋の使用目的に合わせて間仕切り位置を変更できる間仕切り壁の技術に関する。
【背景技術】
【０００２】
従来、住宅の間取り変更が容易にできる間仕切り壁が例えば特許文献１に開示されている。
【０００３】
図１０に示すように、特許文献１の住宅は第１居住領域４１と第２居住領域４２とが東西に隣接して配置されている。
【０００４】
第１居住領域４１には、キッチン４３と、キッチン４３の東側に洗面室４４、浴室４５、トイレ４６が配設され、トイレ４６の南側には、南向きの玄関４７が配設されている。キッチン４３の南側はリビング４８である。第２居住領域２には、南北に二つの寝室５２、５３が設けられる。
【０００５】
第１居住領域４１と第２居住領域４２との境界部には、二箇所の内壁５０が設けられており、二箇所の内壁５０の中間部には第１居住領域４１と第２居住領域４２とを連通する開口部５１が形成されている。内壁５０には、寝室５２とリビング４８とを区切るための図示しない引き違い戸と、寝室５３とキッチン４３とを区切るための図示しないドアが備えられている。
【０００６】
ここで、寝室５２と寝室５３の中間には可動の間仕切り壁５４が配設されている。間仕切り壁５４には二つの収納部５４ａ,５４ｂが設けられており、それぞれの寝室５２、５３側から利用できる。
【０００７】
この間仕切り壁５４は、開口部５１を通って第１居住領域４１と第２居住領域４２の間で移動可能に設けられ、間仕切り壁５４の幅は第２居住領域４２の左右の幅とほぼ等しく設定され、高さは天井の高さとほぼ等しい。
【０００８】
間仕切り壁５４の底部には図示しないキャスターが取付けられており、このキャスターによって第１居住領域４１と第２居住領域４２との間を移動可能である。
【０００９】
なお、第１居住領域４１の間仕切り壁５４と対向する壁部には位置決め用のスペーサ４９が設けられており、間仕切り壁５４はこのスペーサ４９に当接することにより位置決めが容易にできる。
【００１０】
矢印Ｙで示すように、間仕切り壁５４をスペーサ４９に当接して第１居住領域４１に移動配置すると、第１居住領域４１はキッチン４３とリビング４８とに仕切られるので各々独立の部屋として使用することができる。また、第２居住領域４２は間仕切り壁５４がなくなるので、寝室５２、５３が合併して一つの大きな部屋となりパーティルーム等として使用することができる。
【特許文献１】特開２０００−１４５１７１号公報
【発明の開示】
【発明が解決しようとする課題】
【００１１】
しかしながら、従来の上記間仕切り壁では、間仕切り壁が配置されている状態では間仕切り壁を迂回しないと間仕切り壁に隣接する部屋間の通行ができないという問題があった。また、間仕切りの移動は大変手間が掛かるとともに位置決めが難しいという問題があった。
【００１２】
そこで、本発明は、上記従来の問題点を解消して、簡単に操作できて狭い住宅でも空間の利用効率が向上する手間が掛からない間仕切り壁を提供することを目的とする。
【課題を解決するための手段】
【００１３】
請求項１の発明は、住宅の間取り変更構造に用いられる間仕切り壁であって、前記間仕切り壁は複数の仕切り板からなる可動部とこの可動部を収納する収納部から成り、前記収納部と前記各仕切り板は互いにスライド自在に連結することを特徴としている。
【００１４】
請求項２の発明は、請求項１に記載の間仕切り壁であって、前記複数の仕切り板は前記収納部から引き出された状態で互いに面一に連結される第一のスライドガイド手段を備えることを特徴としている。
【００１５】
請求項３の発明は、 請求項２に記載の間仕切り壁であって、前記収納部から最遠部の前記仕切り板は扉として用いられ隣接する仕切り板と重なって互いに連結する第二のスライドガイド手段を備えることを特徴としている。
【００１６】
請求項４の発明は、請求項２に記載の間仕切り壁であって、前記第一のスライドガイド手段はスライド板と一対のリンクアームが回転自在に連結されて成り、隣接する前記仕切り板にそれぞれ前記第一のスライドガイド手段を収納する長溝を設け、前記スライド板が一対のリンクアームを隣接する前記仕切り板の一方の仕切り板にピン固着して前記長溝に収納され、前記スライド板を回転突出して他方の前記仕切り板に備える前記長溝に挿入されることを特徴としている。
【００１７】
請求項５の発明は、請求項３に記載の間仕切り壁であって、前記第二のスライドガイド手段は、前記収納部から最遠部の前記仕切り板に突出して備えるローラーとこのローラーを保持するため隣接する仕切り板に設けられる長溝とで形成されることを特徴としている。
【００１８】
請求項６の発明は、請求項１乃至請求項５のいずれか１項に記載の間仕切り壁であって、前記間仕切り壁は二組の間仕切り壁が角度９０度で合体して形成されるＬ字状間仕切り壁であること特徴としている。
【００１９】
請求項７の発明は、請求項１乃至請求項５のいずれか１項に記載の間仕切り壁であって、複数組の前記間仕切り壁の各収納部を回転自在に固着する一組の支柱が設けられること特徴としている。
【００２０】
請求項８の発明は、請求項７項に記載の間仕切り壁であって、前記支柱は内部に排水管や電線等を導設する空間が設けられること特徴としている。
【００２１】
請求項９の発明は、請求項１乃至請求項８のいずれか１項に記載の間仕切り壁であって、前記収納部の側面にシンク等の水周り装置や収納ボックス等が取付けられることを特徴としている。
【発明の効果】
【００２２】
請求項１記載の発明によれば、前記収納部と前記各仕切り板は互いにスライド自在に連結するので、複数の仕切り板をスライドするだけで収納部から引き出せるので部屋の間仕切りが容易に且つ短時間でできて手間が掛からない。
【００２３】
また、前記可動部を複数用いることにより部屋配置の多くのバリエーションが得られ、種々のニーズに対応して自由に部屋区画を形成できるので狭い住宅でも空間の利用効率が向上する。
【００２４】
請求項２の発明によれば、前記複数の仕切り板は互いに面一に連結される第一のスライドガイド手段を備えるので、間仕切り壁に凹凸が生じないため見栄えが良くなり間仕切り壁の製品品質が向上する。
【００２５】
請求項３の発明によれば、一枚の前記仕切り板は第二のスライドガイド手段によって扉として用いることができるので隣接する部屋空間の通行が容易にできるので間仕切り壁の機能品質が向上する。
【００２６】
請求項４の発明によれば、前記スライド板を回転突出して他方の前記仕切り板に備える前記長溝に挿入した状態で前記仕切り板を互いにスライドして双方の前記仕切り板が離反する状態のときに、前記スライド板が前記一対のリンクアームを介して回転して前記一方の仕切り板の長溝に収納されるとともに前記スライド板の先端部が前記他方の仕切り板の前記長溝に挿入されるため、隣接する前記仕切り板が互いに面一で位置固定される。このように、一対の間仕切り壁が面一で表面間の凹凸が生じないため請求項２の発明と同様の効果を得ることができる
請求項５の発明は、前記第二のスライドガイド手段は、前記収納部から最遠部の前記仕切り板に突出して備えるローラーとこのローラーを保持するため隣接する仕切り板に設けられる長溝とで形成されるので、一枚の前記仕切り板は扉として用いることができるので請求項３の発明と同様の効果を得ることができる。
【００２７】
請求項６の発明は、二組の間仕切り壁が合体して形成されるＬ字状間仕切り壁なので、予め決められた取付位置から二組の間仕切り壁を略同時に引き出せて部屋の間仕切りが容易にできるので、請求項１の発明と同様の効果を得ることができる。
【００２８】
請求項７の発明は、前記間仕切り壁の各収納部を回転自在に固着する一組の支柱が設けられるので、前記間仕切り壁を任意の角度方向に取付るとともに、任意の角度方向に引き出して部屋区画することができるので、請求項１の発明と同様の効果を得ることができる。
【００２９】
請求項８の発明は、前記支柱は内部に排水管や電線等を導設する空間が設けられるので、前記間仕切り壁の各収納部を回転しても排水管や電線等に損傷を与えることがなく、前記間仕切り壁を任意の角度方向に取付ることができる。
【００３０】
請求項９の発明は、前記収納部の側面にシンク等の水周り装置や収納ボックス等が取付けられるので、部屋区画の形成とともにシンク等の水周り装置や収納ボックス等も連動して所定の位置に移動することができる。
【発明を実施するための最良の形態】
【００３１】
以下に、本発明の第１の実施形態を図１〜図５に基づいて説明する。
【００３２】
＜間仕切り壁の構成＞
図１に示すように、間仕切り壁２０は、可動部１６と可動部１６が収納される収納部１７とから成る二組の可動間仕切り１５が支柱２１に回転自在に固着される構成である。
【００３３】
それぞれの可動部１６は三枚の仕切り板Ｐ、Ｑ、Ｒから成り、互いがスライド連結して収納部１７に出し入れすることができる。いま、左側の収納部１７から引き出された３枚の仕切り板Ｐ、Ｑ、Ｒはすべてが面一に成る状態で、右側の三枚の仕切り板Ｐ、Ｑ、Ｒは収納部１７から最遠部の仕切り板Ｒが扉として矢印Ｗに示すように仕切り板Ｑに沿ってスライド開閉できる。
【００３４】
可動部１６は高さＨ１、収納部１７の内法寸法は三枚の仕切り板Ｐ、Ｑ、Ｒが収納できる幅Ｕ、深さＴ、高さＨ２で、収納部１７の外法高さは住宅の天井と床の空間高さと同じ高さＨ３である。このため、Ｈ１＜Ｈ２＜Ｈ３の高さ関係で形成される。
【００３５】
なお、支柱２１に回転自在に固着される可動間仕切り１５は、二組に限定されず最大四組まで取付可能であり、可動部１６の仕切り板の枚数は三枚に限定されず一枚、二枚、或いは四枚以上も可能である。図示しないが、収納部１７と仕切り板Ｐはスライド手段により引き出され、仕切り板Ｐの一端は収納部１７の開放端に離脱しないように係止される。
【００３６】
図２（ａ）に示すように、３枚の仕切り板Ｐ、Ｑ、Ｒ全体が同時に重なった状態である。そして、仕切り板Pに仕切り板Ｑが第一のスライドガイド手段３５で保持される。
【００３７】
第一のスライドガイド手段３５はスライド板３５ａと一対のリンクアーム３５ｂが回転自在に連結される。そして、隣接する仕切り板Ｐ、Ｑの対向する側面K１、K２にそれぞれ第一のスライドガイド手段３５を収納する水平の長溝Ｐ１、Ｑ１が形成される。長溝Ｐ１、Ｑ１は垂直断面凸形状でスライド板３５ａは側面K１から離脱しないがリンクアーム３５ｂは側面K１を水平方向に自在に出入りすることができる。  
スライド板３５ａの両端の位置Ｓでピン固定された一対のリンクアーム３５ｂは、その他端が仕切り板Ｑの長溝Ｑ１内の位置Ｔでピン固着される。そして、スライド板３５ａを回転突出して仕切り板Ｐに備える長溝Ｐ１に挿入される。スライド板３５ａは二箇所の位置Ｔを中心に平行回転することができる。
【００３８】
図２（ｂ）（ｃ）に示すように、仕切り板Ｐ、Ｑが互いに水平方向にスライドして離反する状態で、スライド板３５ａが一対のリンクアーム３５ｂを介して回転し、一方の仕切り板Ｑの長溝Ｑ１に収納される。このとき、スライド板３５ａの先端部Ｇが仕切り板Ｐの長溝Ｐ１に挿入されることにより隣接する仕切り板Ｐ、Ｑが互いに面一で位置固定される。
【００３９】
図２（ｄ）、（ｅ）に示すように、仕切り板Ｑ、Ｒの対向する側面K３、K４にそれぞれ水平の長溝Ｑ２と第二のスライドガイド手段としてのローラー３８を設ける。そして、仕切り板Ｒはローラー３８によって仕切り板Ｑに懸架されてスライドできるので、仕切り板Ｒは扉としての役目を果たすことができる。
【００４０】
尚、３枚の仕切り板Ｐ、Ｑ、Ｒは同時に収納部１７から引き出されてもよいし、３枚の仕切り板Ｐ、Ｑ、Ｒがそれぞれ任意の順番で引き出されることの自在である。収納部１７と仕切り板Ｐは図示しないスライド手段により引き出されるが、仕切り板Ｐの一端は収納部１７の開放端に離脱しないように係止される。
【００４１】
図３に示すように、仕切り板Ｐ、Ｑには第一のスライドガイド手段３５を収納する長溝Ｐ１、Ｑ１がそれぞれ一条設けられ、さらに仕切り板Ｑにはローラー３８を収納する二条の長溝Ｑ２が所定の間隔Ｈで設けられる。
【００４２】
長溝Ｐ１、Ｑ１、Ｑ２の取付位置は仕切り板Ｑ、Ｒのスライド移動を安定して容易に行なうためにできるだけ上方に設けるのが好ましい。仕切り板Ｐ、Ｑ、Ｒの下部には必要に応じて図示しないコロを備えることにより、仕切り板Ｐ、Ｑ、Ｒの自重を床で支えることができるので安定性を向上することができる。
【００４３】
図４に示すように、住宅４は一対の長辺壁２ａ、２ｂと一対の短辺壁３ａ、３ｂに囲まれる平面視矩形形状である。
【００４４】
住宅４には、短辺壁３ａに沿って長辺壁２ａ側から、トイレ５、玄関ホール６、洗面所７、浴室８が一列に設けられる。長辺壁２ｂと短辺壁３ａ側に寝室９用の空間、長辺壁２ｂと短辺壁３ｂ側に居間１０用の空間、長辺壁２ａと短辺壁３ｂ側に食堂１１用の空間がそれぞれ設けられ、さらに、長辺壁２ａに沿って多目的スペース１２が設けられる。
【００４５】
そして、長辺壁２ａに沿って二組の間仕切り壁２０ａ、２０ｂが長辺壁２ａに対して直角の状態で支柱２１が長辺壁２ａから離れた位置に設けられる。間仕切り壁２０ａ、２０ｂはそれぞれ二組の可動間仕切り１５が重ねられた状態である。
【００４６】
長辺壁２ｂに沿って二組の間仕切り壁２０ｃ、２０ｄが二組の間仕切り壁２０ａ、２０ｂと対向する位置で長辺壁２ａの近傍で長辺壁２ａと平行に設けられ、間仕切り壁２０ｃ、２０ｄはそれぞれ一組の可動間仕切り１５を備える。
【００４７】
住宅４の略中央部に可動間仕切り２０ｅが四組の可動間仕切り１５を備え、二組毎に重ねられた可動間仕切り１５が９０度の角度で寝室９の隅を囲うように取付けられる。
【００４８】
図５に示すように、二組の間仕切り壁２０ａ、２０ｂは一方の可動間仕切り１５を回転して長辺壁２ａと直角に、他方の可動間仕切り１５を回転して長辺壁２ａと平行にして、可動部１６が引き出される。
【００４９】
二組の間仕切り壁２０ｃ、２０ｄは可動間仕切り１５を回転して長辺壁２ｂと直角にして可動部１６が引き出される。間仕り切壁２０ｅは四組の可動間仕切り１５を回転して長辺壁２ａ、２ｂ、短辺壁３ａ、３ｂに対してそれぞれ直角に可動部１６が引き出される。
【００５０】
すべての可動間仕切り１５の可動部１６が収納部１７から引き出された状態で、寝室９、居間１０、食堂１１、多目的スペース１２の各部屋区画が形成される。このとき、可動間仕切り１５の周囲には長辺壁２ａと短辺壁３ａに沿って通路が確保される。
【００５１】
各部屋には一箇所の扉が設けられるが、収納部１７から最遠部の仕切り板Ｒがこの扉としての役割であり、仕切り板Ｒのスライド開閉によって隣接空間に移動することができる。
【００５２】
＜間仕切り壁の作用＞
上記、すべての可動間仕切り１５の可動部１６が収納部１７から引き出された状態で、寝室９、居間１０、食堂１１、多目的スペース１２の各部屋区画が形成されるのでプライバシーが保てる。
【００５３】
また、長辺壁２ａと短辺壁３ａに沿って通路が確保されるので、共同空間としての、トイレ５、玄関ホール６、洗面所７、浴室８、多目的スペース１２を利用する際に各部屋の人は他の人を意識しないで気兼ねなく利用できる。多目的スペース１２を囲うことにより例えば来客用の寝室が容易に形成できる。
【００５４】
＜本発明の第２の実施形態＞
本発明の第２の実施形態の間仕切り壁３０を図６〜図９を用いて説明する。図６、図７に示すように、間仕切り壁３０は、三枚一組の仕切り板Ｐ２、Ｑ、Ｒが二組回転自在に支柱２１に固着される構成である。
【００５５】
より詳しくは、第１の実施形態と異なる構成は、可動部としての仕切り板Ｑ、Ｒがそれぞれスライドして収納部としての仕切り板Ｐ２に重ねられ、仕切り板Ｐ２が支柱２１に回転自在に固着されることである。
【００５６】
このように、仕切り板Ｐ２には収納のための箱状の収納部を備えないが他の仕切り板Ｑ、Ｒが重なって一体的に仕切り板Ｐ２に収納される状態である。仕切り板Ｒは矢印Ｗで示すように左右にスライドさせて扉として使用される。
【００５７】
仕切り板Ｐ２の側面にはシンク４０等の給排水や電源等の必要な装置が設けられ、仕切り板Ｐ２はシンク４０等の装置を固着した状態で仕切り板Ｑ、Ｒと共に支柱２１の周りを回転することができる。
【００５８】
このとき、支柱２１には内部に排水管３２や電線３３等を導設する空間２１ａが設けられるので、シンク４０が回転しても排水管３２や電線３３等を損傷することなく安全に保持することができる。
【００５９】
図８に示すように、住宅４ａは一対の長辺壁２ａ、２ｂと一対の短辺壁３ａ、３ｂに囲まれる平面視矩形形状である。住宅４ａには、長辺壁２ａに沿って玄関ホール６、トイレ５、洗面所７、キッチン１３が設けられ、短辺壁３ａに沿って玄関ホール６に続いて衣装室３１、浴室８が設けられる。
【００６０】
このような形状の住宅４ａの部屋区画のために、長辺壁２ａに沿って三組の間仕り切壁３０ａ、３０ｂ、３０ｃが長辺壁２ａと平行、且つ各支柱２１の位置が長辺壁２ａから離れた位置で設けられ、各支柱２１とトイレ５、洗面所７、キッチン１３との間に通路スペースが確保されている。
【００６１】
いま、二組の間仕り切壁３０ａ、３０ｂが長辺壁２ａと直角に、間仕り切壁３０ｃが長辺壁２ａと平行に置かれているが、支柱２１周りに回転自在なので状況によっては任意にどの角度位置でも配置できる。
【００６２】
図９に示すように、間仕り切壁３０ａ、３０ｂ、３０ｃを回転して、一組目の三枚の仕切り板Ｐ２、Ｑ，Ｒを長辺壁２ａと平行且つ短辺壁３ａに向けて直角に、他組目の三枚の仕切り板Ｐ２、Ｑ，Ｒを長辺壁２ｂに向けて直角に引き出される。
【００６３】
これにより、寝室３６、寝室３７、予備室３８、居間３９の各部屋区画が形成される。このとき、長辺壁２ａに沿って通路スペースが確保されるので、共同空間としての、玄関ホール６、トイレ５、洗面所７、キッチン１３を利用する際に、各部屋の人は他の人を意識しないで気兼ねなく利用できる。
【００６４】
不意の来客等で予備室３８を急遽来客の寝室として準備するようなときには速やかに且つ容易にその空間を創出することができる。仕切り板Ｒを扉としてスライド開閉して隣接空間を移動することができる。
【００６５】
仕切り板Ｐ２の側面に備えているシンク４０等が寝室３６の外側と予備室３８の内側に移動するので、寝室３６側のシンク４０を共用に使用し予備室３８側のシンク４０を来客用として使用することができる。
【００６６】
以上、本発明の実施形態を図面に基づいて説明したが、上記の実施例はいずれも本発明の一例を示したものであり、本発明はこれらに限定されるべきでないことは言うまでもない。
【００６７】
たとえば、間仕切り壁は三枚の仕切り板Ｐ２、Ｑ、Ｒを二組備えて成る間仕切り壁の代わりに、三枚の仕切り板Ｐ２、Ｑ、Ｒが一組、三組、或いは四組の構成でも構わない。
【００６８】
間仕切り壁は支柱２１を省略しても構わず、複数組の間仕切り壁の収納部１７或いは収納部としての仕切り板Ｐ２のそれぞれを所定の角度毎に固定して形成してもよい。仕切り板の構成枚数は一枚だけの場合や三枚を超える複数枚の構成も可能である。
【図面の簡単な説明】
【００６９】
【図１】本発明の第１の実施形態における、間仕切り壁２０の、３枚の仕切り板Ｐ、Ｑ、Ｒの可動部１６と収納部１７からなる可動間仕切り１５が支柱２１に二組設けられる状態を示す斜視図である。
【図２】本発明の第１の実施形態における可動部１６の動作概念を説明するための、（ａ）は仕切り板Ｐ、Ｑ、Ｒが第一のスライドガイド手段３５で保持されて互いが重なっている状態、（ｂ）は仕切り板Ｑと仕切り板Ｒが重なった状態で仕切り板Ｑが仕切り板Ｐから引き出された状態、（ｃ）は仕切り板Ｑ、Ｒが重なった状態のままで仕切り板Ｑが回転して仕切り板Ｐと面一に成った状態、（ｄ）は仕切り板Ｒが第二のスライドガイド手段３８で仕切り板Ｑに重なって保持されている状態、（ｅ）は仕切り板Ｒが仕切り板Ｑから引き出された状態を示す平面図である。
【図３】本発明の第１の実施形態における、仕切り板Ｐに設けられる長溝Ｐ１と、仕切り板Ｑに設けられる長溝Ｑ１、長溝Ｑ２の配置の状態を示す斜視図である。
【図４】本発明の第１の実施形態における、間仕切り壁２０の配置の状態を示す平面図である。
【図５】本発明の第１の実施形態における、間仕切り壁２０の可動部１６が収納部１７から引き出された状態を示す平面図である。
【図６】本発明の第２の実施形態における、間仕切り壁３０の状態を示す斜視図である。
【図７】本発明の第２の実施形態における、図６のＡ―Ａ矢視図である。
【図８】本発明の第２の実施形態における、間仕切り壁３０の配置の状態を示す平面図である。
【図９】本発明の第２の実施形態における、間仕切り壁３０が三枚の仕切り板Ｐ２、Ｑ，Ｒで間仕切りされた状態を示す平面図である。
【図１０】従来例における、住宅の間仕切り壁の配置の状態を示す平面図である。
【符号の説明】
【００７０】
１５  可動間仕切り壁
１６  可動部
１７  収納部
２０  間仕切り壁
２１  支柱
Ｐ  仕切り板
Ｑ  仕切り板
Ｒ  仕切り板
【図１】
2008081978.tif 000003
【図２】
2008081978.tif 000004
【図３】
2008081978.tif 000005
【図４】
2008081978.tif 000006
【図５】
2008081978.tif 000007
【図６】
2008081978.tif 000008
【図７】
2008081978.tif 000009
【図８】
2008081978.tif 000010
【図９】
2008081978.tif 000011
【図１０】
2008081978.tif 000012